(57)【特許請求の範囲】
【請求項１】
下面に開口した吸込口を有する本体ケースと、
前記吸込口に臨むように前記本体ケース内に配設される回転ブラシと、を備えた電気掃除機の吸込具において、
前記回転ブラシは、
軸受部と、
前記軸受部により回動自在に支持される軸部と、
前記軸部に固定される回転清掃体保持部と、
前記回転清掃体保持部に保持される回転清掃体と、
前記軸部に固定されるとともに前記軸部を回転する回転力を前記軸部に伝える回転駆動部とを備え、
前記軸受部は、前記軸部を回動自在に支持するベアリング部と、前記ベアリング部の外周を覆うベアリング保持部とを備え、
前記ベアリング部は、前記回転駆動部に対し前記回転清掃体と反対側である一側に、前記軸部の中心軸の延びる方向に沿って重ならないように配置され、
前記本体ケースには前記軸受部を保持する軸受保持部が形成され、
前記ベアリング部は前記軸受保持部に対し、前記軸部の中心軸の延びる方向に沿って少なくとも一部が重なるように配置され、
前記ベアリング保持部は、４つの側面を有する箱部と、前記箱部の前記一側の端面から前記一側に突出する円筒部とを備え、
前記箱部は、４つの側面が前記軸受保持部の内面に当接し、
前記円筒部は、前記ベアリング部よりも前記一側に形成され、外周面が前記軸受保持部の内面に当接せず、前記一側の端面が前記軸受保持部の内面に当接し、
前記円筒部の外周面と前記軸受保持部の内面との間には空間が形成され、
前記円筒部には、前記軸部側へと突出し、前記軸部を抜け止めする係合部が形成されることを特徴とする電気掃除機の吸込具。
【請求項２】
前記箱部には、前記一側の端面の稜線に肉ぬすみ部が形成され、
前記肉ぬすみ部は、前記円筒部の外周面と前記軸受保持部の内面との間に形成される空間に連通していることを特徴とする請求項１記載の電気掃除機の吸込具。
【請求項３】
前記ベアリング部のうち前記軸受保持部に対して重なる部分の前記中心軸方向に沿った長さは、前記軸受保持部の内面のうち前記箱部の側面に当接する部分の前記中心軸方向に沿った長さに対し、５０パーセント以上であることを特徴とする請求項１または２記載の電気掃除機の吸込具。
【請求項４】
前記ベアリング保持部は、前記ベアリング部が外気と連通する空間部を有することを特徴とする請求項１乃至３のいずれか１項に記載の電気掃除機の吸込具。
【請求項５】
請求項１乃至４のいずれか１項に記載の電気掃除機の吸込具と、この吸込具に接続され、吸引風を発生する電動送風機、前記電動送風機により吸引される塵埃を貯留する集塵部を内蔵する掃除機本体と、を備えた電気掃除機。
【発明の詳細な説明】
【技術分野】
【０００１】
本発明は、電気掃除機の回転ブラシを有する吸込具に係り、特に、回転ブラシの寿命、信頼性を向上させた電気掃除機の吸込具に関するものである。
【背景技術】
【０００２】
従来，電気掃除機の吸込具の回転ブラシは、図１７（ａ）に示すような構成となっている（従来例１）。
回転ブラシ２００は、ベルト１９０を介して駆動源であるブラシモーター（図示せず）の回転力により回転される。回転ブラシ２００の中心には金属や樹脂などで構成される軸部２２０があり、その両端には軸受部が設けられる。ベルト１９０がかけられる側であるギア側軸受部２７０に軸部２２０の一端が回転自在に支持される。ギア側軸受部軸２７０は吸込具に形成される軸受保持部６２５に固定される。また、ギア側軸受部２７０と反対側の固定側軸受部（図示せず）に軸部２２０の他端が回動自在に支持され、固定側軸受部も吸込具の軸受保持部に保持される。軸部２２０には、ブラシやブレードなどの除塵体である回転清掃体２４０が保持される回転清掃体支持部２３０が固定される。また、ベルト１９０により回転力が回転駆動部２５１を介して保持部材２５０に伝えられ、軸部２２０を回転させる。
【０００３】
ギア側軸受部軸２７０は、ベアリング部２７３と、これを保持するベアリング保持部２７１から構成される。軸部２２０がベアリング部２７３と対向する部分である被保持部２２１により、軸部２２０がベアリング部２７３と摺動自在に保持される。また、ベアリング保持部２７１には軸部２２０側に突出する係合部２７２が形成され、軸部２２０の先端付近の縮径部２２４と係合する。また、軸部２２０の先端部には、半径方向に突出する抜止部２２２が形成される。
【０００４】
図１８は、従来の電気掃除機の吸込具の他の構成を示す（従来例２、特許文献１参照）。
回転清掃体（回転ブラシ）３９は、ベルトを介して駆動源であるブラシモーター（図示せず）の回転力により回転される。回転清掃体（回転ブラシ）３９は軸部（軸体）４７が、ブラシ台４３を保持する保持部材４５と一体的に回転する。ブラシモーターの回転力はベルトを介して連結部５９に伝えられる。軸部４７（軸体）と一体形成された被保持部８７は回転清掃体保持部（回転ブラシ保持部）４０に回動自在に支持される。回転清掃体保持部（回転ブラシ保持部）４０は、被固定部（軸受カバー）９７とその内部に設けられた軸受９８（ベアリング部に相当）により構成される。
【先行技術文献】
【特許文献】
【０００５】
【特許文献１】特許２０１０−２５２９８０号公報（図１）
【発明の概要】
【発明が解決しようとする課題】
【０００６】
上記の電気掃除機の吸込具において，図１７に示す従来例１では、回転ブラシ２００に効率よく回転力を伝えるため、ベルト１９０にはブラシモーター側へ引っぱる張力がかけられ、回転駆動部２５１に上方向に力が作用する。その結果、図１７（ｂ）に示すように、軸部２２０のギア側軸受部軸２７０側が上方向に引っ張られ、軸部２２０の上方側のベアリング部２７３が上方向に押される。そして、この上方側のベアリング部２７３を支持するベアリング保持部２７１に上向きの力Ｆ１が働く。一方、上側のベアリング保持部２７１は、反作用として、軸受保持部６２５の対向部分６２５ａ側から下向きの力Ｆ２が働く。力Ｆ１と力Ｆ２が作用する点が軸部２２０の延びる方向に対し異なるため、ベアリング保持部２７１には力Ｆ１と力Ｆ２によるトルクが作用し、図１７（ｂ）に示すように、ベアリング保持部２７１を反時計方向に回転させる。回転ブラシ２００の軸受部のうち、ギア側軸受部２７０と反対側の固定側軸受部は吸込具の軸受保持部に保持されるため、回転ブラシ２００はギア側軸受部軸２７０側が上方に移動し、軸部２２０がベアリング部２７３に対し傾く。その結果、ベアリング部２７３と軸部２２０との摺動が円滑にできなくなり、ベアリング部２７３の寿命を縮め、回転ブラシの信頼性を損なう虞があるという課題があった。
【０００７】
また、図１８に示す従来例２では、ベルトに張力がかかり、例えば、連結部５９を上方向に引っ張る力が作用した場合、被保持部８７が軸受９８（ベアリング部に相当）を上方向に押す力が働く。この反作用として、これに対して被固定部（軸受カバー）９７から下方向に押す力が働く。この両者の力の作用点は、軸部（軸体）４７の伸びる方向に対し同じ位置にあるため、上記したようなトルクが生ぜず、軸受９８の寿命を縮めるようなことはない。しかし、回転清掃体（回転ブラシ）３９を回転清掃体保持部（回転ブラシ保持部）４０に取り付ける場合、被保持部８７が被固定部（軸受カバー）９７に形成された係合部１０３を乗り越えて挿入される。このときに軸受９８と摺動する部分である被保持部８７が軸部（軸体）４７の伸びる方向に沿って広い範囲で傷付く虞があるという課題があった。
【０００８】
本発明は、上記の問題を解決するためになされたもので、回転ブラシの寿命、信頼性を向上させた電気掃除機の吸込具及びこれを用いた電気掃除機を提供することを目的とする。
【課題を解決するための手段】
【０００９】
本発明に係わる電機掃除機の吸込具は、下面に開口した吸込口を有する本体ケースと、吸込口に臨むように本体ケース内に配設される回転ブラシとを備えた電気掃除機の吸込具において、回転ブラシは、軸受部と、軸受部により回動自在に支持される軸部と、軸部に固定される回転清掃体保持部と、回転清掃体保持部に保持される回転清掃体と、軸部に固定されるとともに軸部を回転する回転力を軸部に伝える回転駆動部とを備え、軸受部は、軸部を回動自在に支持するベアリング部と、このベアリング部の外周を覆うベアリング保持部とを備え、ベアリング部は、回転駆動部に対し回転清掃体と反対側である一側に、軸部の中心軸の延びる方向に沿って重ならないように配置され、本体ケースには軸受部を保持する軸受保持部が形成され、ベアリング部は軸受保持部に対し、軸部の中心軸の延びる方向に沿って少なくとも一部が重なるように配置され、ベアリング保持部は、４つの側面を有する箱部と、箱部の一側の端面から一側に突出する円筒部とを備え、箱部は、４つの側面が軸受保持部の内面に当接し、円筒部は、ベアリング部よりも一側に形成され、外周面が軸受保持部の内面に当接せず、一側の端面が前記軸受保持部の内面に当接し、円筒部の外周面と前記軸受保持部の内面との間には空間が形成され、円筒部には、軸部側へと突出し、軸部を抜け止めする係合部が形成されるものである。
【発明の効果】
【００１０】
本発明に係わる電気掃除機の吸込具は、回転駆動部にかかる力により軸部がベアリング部に対し傾くことがなく、ベアリング部と摺動する軸部の傷つきを抑制することができ、回転ブラシの寿命、信頼性を向上させた吸込具及びこれを用いた電気掃除機を得ることができる。
【図面の簡単な説明】
【００１１】
【図１】本発明の実施の形態１における電気掃除機の斜視図である。
【図２】本発明の実施の形態１における電気掃除機の吸込具の斜視図である。
【図３】本発明の実施の形態１における電気掃除機の吸込具の分解斜視図である。
【図４】本発明の実施の形態１における電気掃除機の吸込具の分解斜視図（上ケース及び下ケースを外した状態）である。
【図５】本発明の実施の形態１における電気掃除機の吸込具の冷却風路を説明する図である。
【図６】本発明の実施の形態１における電気掃除機の吸込具を下から見た分解斜視図である。
【図７】本発明の実施の形態１における電気掃除機の吸込具の上ケースを下から見た斜視図である。
【図８】本発明の実施の形態１における電気掃除機の吸込具の下ケースを上から見た斜視図である。
【図９】本発明の実施の形態１における電気掃除機の吸込具の下ケースの平面図である。
【図１０】本発明の実施の形態１における電気掃除機の吸込具の回転ブラシの斜視図である。
【図１１】本発明の実施の形態１における電気掃除機の吸込具を下から見た図である。
【図１２】本発明の実施の形態１における電気掃除機の吸込具の断面図である。
【図１３】本発明の実施の形態１における電気掃除機の吸込具の回転ブラシとブラシモーターの回転駆動部の構成を説明する部分平面図（上ケースを外した状態）である。
【図１４】本発明の実施の形態１における電気掃除機の吸込具の回転ブラシのギア側軸受部の構成を説明する断面図である。
【図１５】本発明の実施の形態１における電気掃除機の吸込具の回転ブラシの固定側軸受部の構成を説明する断面図である。
【図１６】本発明の実施の形態１における電気掃除機の吸込具の回転ブラシのギア側軸受部の動作を説明する断面図である。
【図１７】従来の電気掃除機の吸込具の回転ブラシのギア側軸受部の課題を説明する断面図である。
【図１８】従来の他の電気掃除機の吸込具の回転ブラシのギア側軸受部の課題を説明する断面図である。
【発明を実施するための形態】
【００１２】
実施の形態１．
図１は本発明の実施の形態１における電気掃除機の斜視図である。図２は本発明の実施の形態１における電気掃除機の吸込具の斜視図である。図３は本発明の実施の形態１における電気掃除機の吸込具の分解斜視図である。図４は本発明の実施の形態１における電気掃除機の吸込具の分解斜視図（上ケース及び下ケースを外した状態）である。図５は本発明の実施の形態１における電気掃除機の吸込具の冷却風路を説明する図である。図６は本発明の実施の形態１における電気掃除機の吸込具を下から見た分解斜視図である。図７は本発明の実施の形態１における電気掃除機の吸込具の上ケースを下から見た斜視図である。図８は本発明の実施の形態１における電気掃除機の吸込具の下ケースを上から見た斜視図である。図９は本発明の実施の形態１における電気掃除機の吸込具の下ケースの平面図である。図１０は本発明の実施の形態１における電気掃除機の吸込具の回転ブラシの斜視図である。図１１は本発明の実施の形態１における電気掃除機の吸込具を下から見た図である。図１２は本発明の実施の形態１における電気掃除機の吸込具の断面図である。図１３は本発明の実施の形態１における電気掃除機の吸込具の回転ブラシとブラシモーターの回転駆動部の構成を説明する部分平面図（上ケースを外した状態）である。図１４は本発明の実施の形態１における電気掃除機の吸込具の回転ブラシのギア側軸受部の構成を説明する断面図である。図１５は本発明の実施の形態１における電気掃除機の吸込具の回転ブラシの固定側軸受部の構成を説明する断面図である。図１６は本発明の実施の形態１における電気掃除機の吸込具の回転ブラシのギア側軸受部の動作を説明する断面図である。なお、各図において同じ部分にはこれと同じ符号を付している。
【００１３】
以下、図１から図１６を用いて説明する。
電気掃除機１は、電気掃除機本体２と、これに一端が接続されるホース３と、このホース３の他端に一端が接続されるパイプ４と、このパイプ４の他端に接続される吸込具５とから構成される。
電気掃除機本体２には、電源コード（図示せず）により商用電源から供給される電力により吸引風を発生する電動送風機（図示せず）や、この電動送風機により被掃除面である床面などから塵埃とともに吸引された吸引風の中の塵埃を貯留する集塵部（図示せず）が内蔵される。
ホース３の他端側には操作者が把持して電気掃除機１を引き回す手元部３ａが設けられ、手元部３ａには、電動送風機の駆動開始、停止、出力の調整などを行う操作部３ｂが設けられる。
【００１４】
図２に示すように、吸込具５は、本体ケース６と、本体ケース６に回動可能に接続される接続管１０とを備え、パイプ４の他端が接続管１０の一端と接続される。後述するように、接続管１０は回動管１１と継手管１２０とから構成される。以後、図２に示す矢印で、上下前後左右の方向を定義する。
【００１５】
（本体ケース）
図３に示すように、吸込具５の本体ケース６は、上ケース６１、下ケース６２から構成される。後述するように、下ケース６２に基板ホルダー６３、ブラシモーター６３ａ、軸受ＢＯＸ６５、回転ブラシ２００などが装着される。本体ケース６は、下面に開口した吸込口６２ｃが形成され、吸込口６２ｃに臨んで回転ブラシ２００が回転可能に配設される。回転ブラシ２００を回転駆動するブラシモーター６３ａも本体ケース６内に配設される。
【００１６】
（基板ホルダー、ブラシモーター）
基板ホルダー６３には、制御部６３ｃが固定される。
ブラシモーター６３ａには軟質カバー６３ｄが装着され、ブラシモーター６３ａの振動がブラシモーター６３ａを支持する部材へ伝わるのを抑制する（図４参照）。ブラシモーター６３ａと制御部６３ｃとの間は、後述する回動管１１の円筒部１１ｃが挿入されるように隔てられている。ブラシモーター６３ａは、ベルト（図示せず）を介して回転ブラシ２００を回転駆動する。
【００１７】
ブラシモーター６３ａの回転軸６３ｂの先端は、軸受ＢＯＸ６５に形成された軸受部６５ａに挿入され、回転自在に軸支される。後述する回転ブラシ２００の一方の軸受部であるギア側軸受部２７０も軸受ＢＯＸ６５に形成される軸受保持部６５ｂに保持される。すなわち、ブラシモーター６３ａ側の軸受部６５ａとギア側軸受部２７０とは、軸受ＢＯＸ６５により一体に接続される。軸受ＢＯＸ６５のブラシモーター６３ａ側の端部は、軟質カバー６３ｄの外周を覆って、軸受ＢＯＸ６５内のブラシモーターの冷却風路をシールする。
【００１８】
図５（ａ）は、軸受ＢＯＸ６５の上方付近の上ケース６１の部分斜視図を示す。図５（ｂ）は、図５（ａ）の上ケース６１の上面の一部をカットした図である。図５（ａ）に示すように、軸受ＢＯＸ６５の上方付近には、ブラシモーター６３ａを冷却するための第１の冷却用孔６１ｈが３個形成されている。また、ベルトやブラシモーター６３ａの回転軸６３ｂに固定されたピニオンギアを冷却するための第２の冷却用孔が２個形成されている。図５（ｂ）に示すように、第１の冷却用孔６１ｈから吸気された冷却風Ａは、ブラシモーター６３ａの前方からブラシモーター６３ａに入り、ブラシモーター６３ａを冷却する。また、一方では、第２の冷却用孔６１ｉを通って、軸受ＢＯＸ６５の上方から軸受ＢＯＸ６５内に吸気された冷却風Ｂが、ピニオンギア６３ｅとベルト室（軸受ＢＯＸ６５内でベルトが収容される空間）に入り、ギアとベルトを冷却する。
【００１９】
軸受ＢＯＸ６５は耐熱性の高い樹脂で構成され、例えば、ポリブチレンテレフタレート（ＰＢＴ）樹脂が用いられる。軸受ＢＯＸ６５を箱状の一部品で構成することで、従来のブラシモーター軸受部と、回転ブラシ軸受部とを別々に固定していた構成と比較し、組立のバラツキや成形のバラツキを押さえ、ブラシモーター６３ａと回転ブラシ２００との軸間距離を保つことができる。
【００２０】
制御部６３ｃは、電気掃除機本体２からホース３、パイプ４、継手管１２０、回動管１１を経由して電力が供給されるとともに、手元部３ａに設けられた操作部３ｂで操作された指令に基づく制御信号が制御部６３ｃへ送信される。制御部６３ｃからブラシモーター６３ａへ制御信号に基づき調整された電力が供給される。
【００２１】
（上ケース）
上ケース６１は下面が開口した蓋状体であり、前端には下方に突出する４個の第１のリブ６１ａが形成される。第１のリブ６１ａは前後方向に扁平な板状体である。第１のリブ６１ａの後面の両端部の根元部には、第１のリブ６１ａの前後方向の変形を抑制して強度を高める一対の補強リブ６１ａ１が形成される。さらに、第１のリブ６１ａの間、または外側に、爪部６１ｂ１（図１２参照）を供えた３個の第２のリブ６１ｂが形成される。つまり、第２のリブ６１ｂは第１のリブ６１ａと異なる位置（重ならない位置）に配置される。爪部６１ｂ１は第２のリブ６１ｂの前方に突出するように形成される。後端の中央には、回動管１１の円筒部１１ｃが挿入されるように切込み部６１ｃが形成されている（図３、図７参照）。また、上ケース６１の後部の両端には、内部にネジ穴が形成されたボス６１ｄ、６１ｅが形成される。さらに、上ケース６１の切込み部６１ｃの下端両端にも、内部にネジ穴が形成されたボス６１ｆ、６１ｇが形成される。
【００２２】
上ケース６１は基板ホルダー６３、ブラシモーター６３ａ、軸受ＢＯＸ６５、回転ブラシ２００を上から覆い、上ケース６１の後部両端のボス６１ｄ、６１ｅと後述する下ケース６２の後部両端のボス６２ｊ、６２ｋとでネジにより固定される。さらに、上ケース６１の後部の切込み部６１ｃ下端のボス６１ｆ、６１ｇと後述する下ケース６２の円筒部収容部６２ｈの後端の両端のボス６２L、６２ｍとでネジにより固定される。また、上ケース６１の前端下部と下ケース６２の前端上部とは、上ケース６１の複数の第１のリブ６１ａと後述する下ケースの複数の第１の被係止部６２ｄとで、及び、上ケース６１の複数の第２のリブ６１ｂの爪部６１ｂ１と下ケース６２の複数の第２の被係止部６２ｅとにより係止される。
【００２３】
（下ケース）
下ケース６２は図９に示すように、横長の枠状体であり、横長の吸込口６２ｃが形成されている。また、図６に示すように、回転ブラシ２００の両端の軸受部２７０、２８０が下ケース６２の下側から下ケース６２へ着脱自在に装着される。さらに、回転ブラシ２００の両側に回転ブラシカバー６６ａ、６６ｂが回転ブラシ２００の下方から着脱自在に装着され、回転ブラシ２００が下ケース６２から抜け落ちるのを防止する。また、後述する回動管１１の先端部である円筒部１１ｃの両側に形成された一対の横向きの軸部（図示せず）を軸支する一対の受け部６２ａ、６２ｂが下ケース６２に形成される。一対の受け部６２ａ、６２ｂの間に、回動管１１の円筒部１１ｃが収容される円筒部収容部６２ｈが形成される。
【００２４】
図８に示すように、円筒部収容部６２ｈの右側に、制御部６３ｃが収容される制御部収容部６２ｆが形成される。円筒部収容部６２ｈの左側に、ブラシモーター６３ａが収容されるブラシモーター収容部６２ｇが形成される。円筒部収容部６２ｈの前方で、制御部収容部６２ｆとブラシモーター収容部６２ｇとを連通するコ字形状のリード線渡し部６２ｉ
が形成される。リード線渡し部６２ｉは制御部６３ｃからブラシモーター６３ａへ電力を供給するリード線１３０が収容されて渡される。また、下ケース６２の後部の両端には、ボス６２ｊ、６２ｋが形成され、ボス６２ｊ、６２ｋの下から挿通されたネジが上ケースのボス６１ｄ、６１ｅにネジ止めされる。さらに、円筒部収容部６２ｈの後端の両端にも、ボス６２Ｌ、６２ｍが形成され、ボス６２Ｌ、６２ｍの下から挿通されたネジが上ケースのボス６１ｆ、６１ｇにネジ止めされる（図７参照）。また、下ケース６２の前部には、長手方向にコ字状のバンパー６２１が取り付けられる（図３参照）。
【００２５】
上ケース６１の４個の第１のリブ６１ａに対応して、下ケース６２の前端の裏面に４個の第１の被係止部６２ｄが形成される（図８参照）。第１の被係止部６２ｄは、それぞれ、上ケース６１と下ケース６２とが係止された状態で、第１のリブ６１ａの両端部、及びこれらに連なる後面の少なくとも一部を覆う一対の側部被係止部６２ｄ１と、第１のリブ６１ａの下端と当接して対向する底部被係止部６２ｄ２が形成される。なお、底部被係止部６２ｄ２は第１のリブ６１ａの下端と近接して対向するように形成してもよい。上ケース６１と下ケース６２とが係止された状態では、一対の補強リブ６１ａ１が一対の側部被係止部６２ｄ１の内側に入るように一対の補強リブ６１ａ１の間隔が決められる。したがって、上ケース６１と下ケース６２とが係止されたときに、補強リブ６１ａ１が側部被係止部６２ｄ１と圧入ぎみになったとしても、装着できる。
【００２６】
また、上ケース６１の３個の第２のリブ６１ｂに対応して、下ケース６２の前端の裏面に３個の第２の被係止部６２ｅが形成される（図８参照）。つまり、３個の第２のリブ６１ｂの間に第２の被係止部６２ｅは、それぞれ第２のリブ６１ｂに形成された爪部６１ｂ１が係止される孔部６２ｅ１が形成される。
【００２７】
また、下ケース６２の前端下端に、後方に向かって垂れ下がる５個の垂下部６２２ａ、６２２ｂ、６２２ｃ、６２２ｄ、６２２ｅが形成される（図６参照）。各垂下部６２２の断面形状は、後方に向かって略Ｌ字形状に形成される。なお、円弧状に形成してもよい。中央の垂下部６２２ｃは他の垂下部よりも幅広に形成され、後述する回動管１１の円筒部１１ｃの前面開口の前方に配置される（図９参照。）。
【００２８】
（接続管）
図２に示すように、接続管１０は、回動管１１と継手管１２０から構成される。接続管１０には複数のリード線（図示せず）が挿通され、掃除機本体２から接続管１０を経由してブラシモーターへ電力が供給される。
回動管１１は円筒部１１ｃ、直管部１１ｄ及びフランジ部１１ｅを備える。円筒部１１ｃの両端には、本体ケース６側（一側）の端部に横向き（本体ケース６の長手方向）の軸部（図示せず）が形成される。これらの軸部をそれぞれ軸支する受け部６２ａ、６２ｂが本体ケース側に形成される（図３参照）。その結果、回動管１１はこの軸部の周りに上下方向に回動自在に軸支される。フランジ部１１ｅは後述する継手管１２０と接続される部分である。
継手管１２０は回動管１１の他側に接続され、回動管１１の他側のフランジ部１１ｅの端面に沿って周方向に回動自在に軸支される。
【００２９】
（回転ブラシ）
図１０に示すように、回転ブラシ２００は、本体部２１０と、その両端に設けられる２つの軸受部である、ギア側軸受部２７０及び固定側軸受部２８０から構成される。
本体部２１０は、中心に長手方向に延び、金属や樹脂などで構成される軸部２２０と（図１４参照）、軸部２２０に固定され、ブラシやブレードなどの除塵体である回転清掃体２４０が保持される回転清掃体支持部２３０と、軸部２２０の一端側に固定され、ベルト１９０の回転力を軸部２２０に伝える回転駆動部２５１を一体に形成する第１の保持部材２５０と、軸部２２０の他端側に固定される第２の保持部材２６０とを備える。また、軸部２２０の両端の先端部には、半径方向に突出する抜止部２２２、２２６が形成される（図１４、図１５参照）。
ギア側軸受部２７０は、吸込具５の下ケース６２に装着される軸受ＢＯＸ６５に形成される軸受保持部６５ｂに着脱自在に装着される（図１３参照）。また、固定側軸受部２８０は、下ケース６２に形成された軸受保持部６２５に着脱自在に装着される（図１１参照）。
【００３０】
（回転清掃体）
回転清掃体２４０は下端に基部（図示せず）が形成され、回転清掃体支持部２３０の表面には長手方向に沿って複数の溝部が形成される。回転清掃体支持部２３０の一方の端部から回転清掃体２４０の基部を溝部に挿入することにより、回転清掃体２４０が回転清掃体支持部２３０に保持される。
【００３１】
（第１の保持部材）
第１の保持部材２５０は、図１４に示すように、軸部２２０及び回転清掃体支持部２３０の一端側に固定される。第１の保持部材２５０の回転清掃体支持部２３０側の端部は、回転清掃体２４０が回転清掃体支持部２３０から抜け落ちるのを防止する。第１の保持部材２５０のギア側軸受部２７０側には、第１の回転駆動部２５１が一体に形成される。第１の回転駆動部２５１は円柱形状をなし、その表面にはベルト１９０と接触するギア部２５２が形成される。回転駆動部２５１のギア部２５２と反対側には内周面２５４が形成され、外気と連通している。また、内周面２５４に連なって、軸部２２０と直交する端面２５３が形成される。端面２５３と後述するギア側軸受部２７０の端面２７６との間は離間しており、後述するベアリング部２７３と連通する空間部２７９と外気とが連通する。
【００３２】
（ギア側軸受部）
ギア側軸受部２７０は、図１０に示すように、概観は軸部２２０と直交する方向の断面が略正方形で、４側面が略矩形の箱部とその端面に円筒部２７４（図１４参照）が形成されており、軸部２２０を回動自在に支持するベアリング部２７３と、ベアリング部２７３の外周を覆ってベアリング部２７３を保持するベアリング保持部２７１とを備える。
ベアリング部２７３は、軸部２２０の被保持部２２１を回転自在に支持する。
ベアリング保持部２７１には、ベアリング部２７３よりも一側に軸部２２０側へと突出して形成され、回転ブラシ２００の軸部２２０を抜け止めする係合部２７２が形成され、軸部２２０の先端付近の縮径部２２４と係合する。また、ベアリング保持部２７１は係合部２７２を有する部分が一側に突出する円筒部２７４を備える。さらに、ベアリング保持部２７１の箱部の円筒部２７４側の４つの稜線の中央付近が直方体形状に削られた肉ぬすみ部２７７が形成される。
【００３３】
（第２の保持部材）
第２の保持部材２８０は、図１５に示すように、軸部２２０及び回転清掃体支持部２３０の他端側（固定部軸受部２８０側）に固定される。第２の保持部材２８０の回転清掃体支持部２３０側の端部は、回転清掃体２４０が回転清掃体支持部２３０から抜け落ちるのを防止する。第２の保持部材２８０の固定側軸受部２８０側には、二つのリブ２６２、２６２が軸部２２０の延びる方向と平行に形成され、後述する固定側軸受部２８０のベアリング部２８３に連通する空間部２８９と外気が連通するラビリンス部２８５が形成される。
【００３４】
（固定側軸受部）
固定側軸受部２８０は、図４に示すように、外観は軸部２２０と直交する方向の断面が略正方形で、４側面が略矩形の箱部の形状をなす。軸部２２０を回動自在に支持するベアリング部２８３と、ベアリング部２８３の外周を覆ってベアリング部２８３を保持するベアリング保持部２８１とを備える（図１５参照）。
ベアリング部２８３は、軸部２２０の被保持部２２３を回転自在に支持する。
ベアリング保持部２８１には、ベアリング部２８３よりも他側に軸部２２０側へと突出して形成され、回転ブラシ２００の軸部２２０を抜け止めする係合部２８２が形成され、軸部２２０の先端付近の縮径部２２７と係合する。また、ベアリング保持部２８１の第２の保持部材２６０側端部には、リブ２６１、２６２の間で、軸部２２０の中心軸と平行に延びるリブ２８６が形成される。リブ２６１、２６２、２８６により、外気が空間部２８９と連通するラビリンス部２８５を形成する。
【００３５】
次に、動作について説明する。
電気掃除機本体２に内蔵された電源コードをコンセントに接続し、手元部３ａに設けられた操作部３ｂを操作することにより、電気掃除機本体２内の電動送風機が駆動され、吸引風が発生する。この吸引風により、被掃除面である床面等から塵埃とともに空気が、吸込具５の本体ケース６の下面の吸引口６２ｃから、接続管１０（回動管１１、継手管１２０）、パイプ４、ホース３を経由して電気掃除機本体２に取り込まれる。電気掃除機本体２に取り込まれた塵埃を含む空気は、塵埃が集塵室に貯留され、塵埃の除去された空気が電気掃除機本体から排出される。
【００３６】
操作部３ｂで電動送風機を駆動する操作を行うと、吸込具５の本体ケース６内に配設された回転ブラシ２００を回転駆動して、被掃除面の塵埃を掻きあげるように、回転ブラシ２００を駆動するブラシモーター６３ａへ電力が供給される。この電力は、電気掃除機本体２からホース３、パイプ４、継手管１２０、回動管１１、吸込具５の本体ケース３内に配設される、ブラシモーター６３ａを制御する制御部６３ｃを経由してブラシモーター６３ａへ供給される。
【００３７】
掃除をする際に、使用者が手元部３ａを把持して被掃除面上を吸込具５を移動させる。吸込具５を移動すると壁や家具に衝突することがあり、吸込具５に前後、上下、左右方向から衝突による荷重が加わる。また、吸込具５を誤って落下させると、落下衝撃による荷重か加わる。
【００３８】
上ケース６１の前端下方に形成された４個の第１のリブ６１ａが下ケース６２の前端上部に形成された４個の第１の被係止部６２ｄに係止される。第１のリブ６１ａの下端が第１の被係止部６２ｄの底部被係止部６２ｄ２と当接するので、上ケース６１ａに対し上方から加わった荷重は、複数の第１のリブ６１ａから複数の第１の被係止部６２ｄへ伝達される。このように、荷重が上ケース６１と下ケース６２とに分散されて、上方からの荷重による上ケース６１及び下ケース６２の変形が低減され、壊れにくくなるという意味で強度が高まる。さらに、上ケース６１を下ケース６２に固定して本体ケース６を組み立てるときに、第１の被係止部６２ｄが第１のリブ６１ａの位置決めの目安となるので、組み立て性、組み立て効率が改善される。
【００３９】
なお、底部被係止部６２ｄ２が第１のリブ６１ａの下端と近接して対向するように形成される場合は、上方からの荷重により上ケース６１が下方に変形したときに、第１のリブ６１ａの下端が第１の被係止部６２ｄの底部被係止部６２ｄ２と当接するので、上記と同様に、上ケース６１ａに対し上方から加わった荷重は、複数の第１のリブ６１ａから複数の第１の被係止部６２ｄへ伝達され、荷重が上ケース６１と下ケース６２とに分散されて、上方からの荷重による上ケース６１及び下ケース６２の変形が低減され、壊れにくくなる。このように、上ケース６１及び下ケース６２の変形が低減されるという意味で必要な強度が確保される。
【００４０】
また、第１の被係止部６２ｅの一対の側部被係止部６２ｄ１が第１のリブ６１ａの両端部、及びこれらに連なる後面の少なくとも一部を覆うので、上ケース６１に対し前後方向から加わった荷重は、複数の第１のリブ６１ａから複数の第１の被係止部６２ｄへ伝達される。このように、荷重が上ケース６１と下ケース６２とに分散されて、前後方向からの荷重による上ケース６１及び下ケース６２の変形が低減され、壊れにくくなる。
なお、上ケース６１に対し左右方向から荷重が加わった場合でも、複数の第１のリブ６１ａから複数の第１の被係止部６２ｄへ伝達される。ここで、第１のリブ６１ａの両側丹部と側部被係止部６２ｄ１との隙間は小さい方が望ましい。このように、荷重が上ケース６１と下ケース６２とに分散されて、左右方向からの荷重による上ケース６１及び下ケース６２の変形が低減され、壊れにくくなる。
【００４１】
また、第１のリブ６１ａは前後方向に扁平な板状体であり、第１のリブ６１ａの後面の両端部の根元部には、第１のリブ６１ａの前後方向の変形を抑制して強度を高める一対の補強リブ６１ａ１が形成されるので、第１のリブ６１ａに対し前後方向から荷重が加わっても補強リブ６１ａ１が第１のリブ６１ａの変形を抑制し、強度が高まる。
【００４２】
また、上ケース６１または下ケース６２に対し、両者を離間する方向の荷重が加わっても、第２のリブ６１ｂの爪部６１ｂ１が下ケース６２の前端の裏面に形成された第２の被係止部６２ｅの孔部６２ｅ１に係止されるので、上ケース６１と下ケース６２とが離間するのを防止する。
【００４３】
また、第２のリブ６１ｂを第１のリブ６１ａと異なる位置に配置したので、両者が干渉することがない。その結果、両者の設計の自由度が高まる。
【００４４】
また、下ケース６２の前端下端に、後方に向かって垂れ下がる５個の垂下部６２２ａ、６２２ｂ、６２２ｃ、６２２ｄ、６２２ｅが形成されるので、垂下部６２２がない場合と比較し、枠状体である下ケース６２の剛性が高まる。
また、垂下部６２２を、第１の被係止部６２ｄと異なるに配置したので、垂下部６２２と第１の被係止部６２ｄとが干渉することなく配置できる。その結果、両者の設計の自由度が高まる。
また、電気掃除機本体２に内蔵される電動送風機の駆動音が、ホース３、パイプ４内を通り、吸込具５内に伝達されるが、中央の垂下部６２２ｃを回動管１１の円筒部１１ｃの前面開口（本体ケース６側への開口）の前方に配置したので、振動音が吸込具５の前方の空間に伝わるのを抑制できる。
【００４５】
なお、上記では、上ケース６１に荷重が加わる場合の例を説明したが、下ケース６２に荷重が加わる場合も、上ケース６１に荷重が分散され、軽量で必要な強度を確保する吸込具及びこれを用いた電気掃除機を得ることができる。
【００４６】
また、上ケース６１に第１のリブ６１ａを設け、下ケース６２に第１の被係止部６２ｄを設けたが、下ケース６２に第１のリブ６１ａを設け、上ケース６１に第１の被係止部６２ｄを設けてもよい。
同様に、上ケース６１に第２のリブ６１ｂを設け、下ケース６２に第２の被係止部６２ｅを設けたが、下ケース６２に第２のリブ６１ｂを設け、上ケース６１に第２の被係止部６２ｅを設けてもよい。
【００４７】
次に、回転ブラシ２００を回転自在に支持する軸受部２７０、２８０の動作について説明する。
まず、ギア側軸受部２７０の動作を説明する。
図１６は、本発明の実施の形態１における電気掃除機の吸込具の回転ブラシのギア側軸受部の動作を説明する断面図である。図１６（ａ）は、回転ブラシ２００のギア側軸受部２７０が軸受保持部６５ｂに保持されている状態を示す。ここで、ギア側軸受部２７０の箱部の４つの側面の平面部がそれと対向する軸受保持部６５ｂの内面と当接して、ギア側軸受部２７０が軸受保持部６５ｂに対して回転しないように保持される。また、ギア側軸受部２７０の円筒部２７４の端面がそれと対向する軸受保持部６５ｂの内面と当接して、ギア側軸受部２７０が軸受保持部６５ｂ側に移動するのを規制する。そして、ベルト１９０が第１の保持部材２５０の回転駆動部２５１に対し上方に向けてかけられている。
また、ベアリング部２７３は回転駆動部２５１に対し回転清掃体２４０と反対側である一側に、軸部２２０の中心軸の延びる方向に沿って重ならないように配置される。
【００４８】
回転ブラシ２００に効率よく回転力を伝えるため、ベルト１９０にはブラシモーター側へ引っぱる張力がかけられ、回転駆動部２５１に上方向に力が作用する。その結果、図１６に示すように、軸部２２０のギア側軸受部軸２７０側が上方向に引っ張られ、軸部２２０の上方側のベアリング部２７３が上方向に押される。そして、この上方側のベアリング部２７３を支持するベアリング保持部２７１に上向きの力Ｆ１が働く。力Ｆの作用点は、ベアリング部２７３の軸部２２０の延びる方向に沿ったほぼ中央となる。一方、上側のベアリング保持部２７１は、反作用として、軸受保持部６５ｂの対向部分６５ｂ１側から下向きの力Ｆ２（大きさは力Ｆ１と同じ）が働く。ここで、ベアリング部２７３は回転駆動部２５１に対し回転清掃体２４０と反対側である一側に、軸部２２０の中心軸の延びる方向に沿って重ならないように配置されるので、ベアリング部２７３が押し上げる部分のベアリング保持部２７１をベルト１９０の軌道の外側（ギア側軸受部軸２７０側）に配置すりことができ、軸受保持部６５ｂの対向部分６５ｂ１がベルト１９０と干渉することがなく、軸受保持部６５ｂの設計の自由度が高まる。
【００４９】
また、ベアリング保持部２７１は、ベアリング部２７３よりも一側（ギア側軸受部軸２７０側）に軸部２２０側へと突出して形成され、回転ブラシ２２０を抜け止めする係合部２７２を有するので、軸部２２０をギア側軸受部軸２７０に挿入する際に、係合部２７２がベアリング部２７１を保持する被保持部２２１を傷つけることがなく、回転ブラシ２００の寿命、信頼性が向上する。
【００５０】
また、ベアリング保持部２７１は係合部２７２を有する部分である円筒部２７４が一側に突出するので、係止部２７２の弾性を容易に高めることができ、軸部２２０をギア側軸受部軸２７０に挿入する際に、軸部２２０の抜止部２２２が係止部２７２を容易に乗り越えることができ、組み立て性が向上する。また、軸部２２０が、ベアリング部２７１や係止部２７２との摩擦で発生した熱が表面積の大きい円筒部２７４の表面から放熱でき、軸部の温度が上昇するのを抑制できるので、回転ブラシ２００の寿命、信頼性が向上する。
【００５１】
また、ベルト１９０の張力により、ギア側軸受部軸２７０が軸受保持部６５ｂに当接する部分である対向部分６５ｂ１とベアリング部２７３とが軸部２２０の中心軸の延びる方向に沿って一部が重なるように配置されている。５０パーセント以上重なるように配置されることが望ましい。つまり、図１６（ａ）に示すように、軸部２２０の中心軸の延びる方向に沿って、対向部分６５ｂ１の長さＬに対し、ベアリング部２７３が対向部分６５ｂ１と重なる部分の長さＬ１との比率が５０パーセント以上となっている。その結果、力Ｆ１と力Ｆ２の作用点の位置は一致する。その結果、ベアリング保持部２７１に対しトルクが作用せず、軸部２２０がベアリング部２７３に対し傾くことがなく、回転ブラシ２００の寿命、信頼性が向上する。
【００５２】
また、ベアリング保持部２７３は、ベアリング部２７３が外気と連通する空間部２７９を有するので、ベアリング部２７３を効率よく冷却でき、回転ブラシ２００の寿命、信頼性が向上する。
【００５３】
また、ギア側軸受部２７０のベアリング保持部２７１に肉ぬすみ部２７７を設けたので、ベアリング保持部２７１の重量が低減されるとともに、ベアリング保持部２７１の表面積が増えるので、円筒部２７４からの放熱に加え、肉ぬすみ部２７７からも放熱でき、軸部の温度が上昇するのを抑制できる。
【００５４】
次に、固定部側軸受部２８０の動作を説明する。
図１５（ａ）は、固定部側軸受部２８０の構成を示し、図１５（ｂ）は固定部側軸受部２８０が軸受保持部６２５に保持されている状態を示す。ここで、固定側軸受部２８０の４つの側面がそれと対向する軸受保持部６２５の内面と当接して、固定側軸受部２８０が軸受保持部６２５に対して回転しないように保持される。また、固定側軸受部２８０の端面がそれと対向する軸受保持部６２５の内面と当接して、固定側軸受部２８０が軸受保持部６２５側に移動するのを規制する。
【００５５】
ベアリング保持部２８１は、ベアリング部２８３よりも他側（ギア側軸受部軸２７０と反対側）に軸部２２０側へと突出して形成され、回転ブラシ２２０を抜け止めする係合部２８２を有するので、軸部２２０を固定側軸受部軸２８０に挿入する際に、係合部２８２がベアリング部２８１を保持する被保持部２２３を傷つけることがなく、回転ブラシ２００の寿命、信頼性が向上する。
【００５６】
第２の保持部材２６０と固定側軸受部２８０との間に、ベアリング部２８３と連通する空間部２８９と外気が連通するラビリンス部２８５が形成されるので、ベアリング部２８３を効率よく冷却できる。また、塵埃や髪の毛などのがベアリング部２８３に侵入するのを抑制できるので、回転ブラシ２００の寿命、信頼性が向上する。
【００５７】
このように、実施の形態１による電気掃除機の吸込具及びこれを用いた電気掃除機によれば、下面に開口した吸込口を有する本体ケースと、吸込口に臨むように本体ケース内に配設される回転ブラシとを備えた電気掃除機の吸込具において、回転ブラシは、軸受部と、軸受部により回動自在に支持される軸部と、軸部に固定される回転清掃体保持部と、回転清掃体保持部に保持される回転清掃体と、軸部に固定されるとともに軸部を回転する回転力を軸部に伝える回転駆動部とを備え、軸受部は、軸部を回動自在に支持するベアリング部と、このベアリング部の外周を覆うベアリング保持部とを備え、ベアリング部は、回転駆動部に対し回転清掃体と反対側である一側に、軸部の中心軸の延びる方向に沿って重ならないように配置され、本体ケースには軸受部を保持する軸受保持部が形成され、ベアリング部は軸受保持部に対し、軸部の中心軸の延びる方向に沿って少なくとも一部が重なるように配置され、ベアリング保持部は、４つの側面を有する箱部と、箱部の一側の端面から一側に突出する円筒部とを備え、箱部は、４つの側面が軸受保持部の内面に当接し、円筒部は、ベアリング部よりも一側に形成され、外周面が軸受保持部の内面に当接せず、一側の端面が前記軸受保持部の内面に当接し、円筒部の外周面と前記軸受保持部の内面との間には空間が形成され、円筒部には、軸部側へと突出し、軸部を抜け止めする係合部が形成されるので、軸部がベアリング部に対して傾くことがなく、ベアリング部と摺動する軸部の傷つきを抑制することができる。
【００５８】
また、ベアリング保持部は係合部を有する部分が一側に突出するので、軸部をギア側軸受部軸に挿入する際の組み立て性が向上する。また、突出する部分の外面から放熱されるので、軸部の温度が上昇するのを抑制することができる。
【００５９】
また、回転駆動部はベルトにより回転駆動され、ベルトの張力により軸受部が軸受保持部に当接する部分とベアリング部とが軸部の中心軸の延びる方向に沿って５０パーセント以上重なるように配置されるので、軸部がベアリング部に対して傾くことを確実に防止できる。
【００６０】
また、ベアリング保持部は、ベアリング部が外気と連通する空間部を有するので、ベアリング部の温度上昇を抑制することができる。
【符号の説明】
【００６１】
１  電気掃除機、２  電気掃除機本体、３  ホース、３ａ  手元部、３ｂ  操作部、
４  パイプ、５  吸込具、６  本体ケース、６１  上ケース、６１ａ  第１のリブ、
６１ａ１  補強リブ、６１ｂ  第２のリブ、６１ｂ１  爪部、６１ｃ  切込み部、
６１ｄ、６１ｅ、６１ｆ、６１ｇ  ボス、６１ｈ、第１の冷却用孔、
６１ｉ  第２の冷却用孔、６２  下ケース、６２ａ、６２ｂ  受け部、
６２ｃ  吸込口、６２ｄ  第１の被係止部、６２ｄ１  側部被係止部、
６２ｄ２  底部被係止部、６２ｅ  第２の被係止部、６２ｅ１  孔部、
６２ｆ  制御部収容部、６２ｇ  ブラシモーター収容部、６２ｈ  円筒部収容部、
６２ｉ  リード線渡し部、６２ｊ、６２ｋ、６２Ｌ、６２ｍ  ボス、６２１  バンパー、
６２２、６２２ａ、６２２ｂ、６２２ｃ、６２２ｄ、６２２ｅ  垂下部、
６２５  軸受保持部、６３  基板ホルダー、
６３ａ  ブラシモーター、６３ｂ  回転軸、６３ｃ  制御部、６３ｄ  軟質カバー、
６５  軸受ＢＯＸ、６５ａ  軸受部、６５ｂ  軸受保持部、６５ｂ１  対向部分、
６６ａ、６６ｂ  回転ブラシカバー、１０  接続管、１１  回動管、１１ｃ  円筒部、
１１ｄ  直管部、１１ｅ  フランジ部、１２０  継手管、
１９０  ベルト、２００  回転ブラシ、２１０  本体部、２２０  軸部、
２２１  被保持部、２２２  抜止部、２２３  被保持部、２２４  縮径部、
２２６  抜止部、２２７  縮径部、２３０  回転清掃体支持部、２４０  回転清掃体、
２５０  第１の保持部材、２５１  回転駆動部、２５２  ギア部、２５３  端面、
２５４  内周面、２６０  第２の保持部材、２６１、２６２  リブ、
２７０  ギア側軸受部、２７１  ベアリング保持部、２７２  係合部、
２７３  ベアリング部、２７４  円筒部、２７６  端面、２７７  肉ぬすみ部、
２７９  空間部、２８０  固定側軸受部、２８１  ベアリング保持部、２８２  係合部、２８３  ベアリング部、２８５  ラビリンス部、２８６  リブ、２８９  空間部。
【図１】
0005846021.tif 000002
【図２】
0005846021.tif 000003
【図３】
0005846021.tif 000004
【図４】
0005846021.tif 000005
【図５】
0005846021.tif 000006
【図６】
0005846021.tif 000007
【図７】
0005846021.tif 000008
【図８】
0005846021.tif 000009
【図９】
0005846021.tif 000010
【図１０】
0005846021.tif 000011
【図１１】
0005846021.tif 000012
【図１２】
0005846021.tif 000013
【図１３】
0005846021.tif 000014
【図１４】
0005846021.tif 000015
【図１５】
0005846021.tif 000016
【図１６】
0005846021.tif 000017
【図１７】
0005846021.tif 000018
【図１８】
0005846021.tif 000019